(57)【要約】【課題】端子と回路基板の接続部とを確実に圧入させることが可能で、かつ端子の配列ピッチを狭くすることができる回路基板用コネクタおよび端子圧入治具を提供する。【解決手段】端子２０の先端部には、回路基板４０のスルーホール４１に圧入される基板接続部２５が形成されているとともに、その圧入方向の後方には、治具当て部２９が側方に張り出して形成されている。治具当て部２９のうち圧入方向の背面は当て縁２９Ａとされており、この当て縁２９Ａは、端子２０の軸方向の中心線から遠ざかるほど圧入方向の後方に位置する傾斜面状とされている。また、治具当て部２９の当て縁２９Ａに当接する端子圧入治具５０の先端部分は、当て縁２９Ａと同角度の傾斜面状の当接面５１とされており、これにより当て縁２９Ａとぴったり当接するようになっている。【選択図】  図３
2004178992.tif 000002
【特許請求の範囲】
【請求項１】
ハウジングから導出された複数の端子を備え、この端子の先端部には、回路基板の接続部に圧入される圧入部が設けられるとともに、その圧入方向の後方には治具当て部が側方に張り出して設けられ、その治具当て部を端子圧入治具で押圧した状態で前記圧入部を前記接続部に圧入するようにしたものにおいて、
前記治具当て部のうち前記圧入方向の背面が、前記端子の中心線から遠ざかるほど前記圧入方向の後方に位置する傾斜面状とされていることを特徴とする回路基板用コネクタ。
【請求項２】
前記端子の治具当て部が、隣接する前記端子の治具当て部と軸方向において互い違いの位置となるように形成されていることを特徴とする請求項１に記載の回路基板用コネクタ。
【請求項３】
回路基板の接続部に圧入される圧入部を有する端子を備えるとともに、その圧入方向の後方には治具当て部が側方に張り出して設けられ、その治具当て部のうち前記圧入方向の背面が前記端子の中心線から遠ざかるほど前記圧入方向の後方に位置する傾斜面状とされている回路基板用コネクタの端子圧入治具であって、
先端部に、前記治具当て部の傾斜面に沿って当接してその傾斜面を押圧可能な傾斜面状の当接面が形成されていることを特徴とする回路基板用コネクタの端子圧入治具。
【発明の詳細な説明】
【０００１】
【発明の属する技術分野】
本発明は、回路基板に取り付けられる回路基板用コネクタおよび端子圧入治具に関する。
【０００２】
【従来の技術】
近年、例えば回路基板のスルーホールに挿入されてその内周に形成された接点部との間で電気的接続を取ることに用いる端子として、ハンダ付けを行わないものが普及しつつあり、その一例として図８に示すものが知られている。
【０００３】
この端子１は、ニードルアイ形状とも称されるものであって、一対の弾性当接部２が、撓み空間を間に挟んで外側へほぼ円弧状に膨出形成されることで、径方向への弾性変形可能とされた構造となっている。そしてこの端子１は、両弾性当接部２が閉じるように弾性変形しつつ回路基板６のスルーホール７に圧入され、その開き方向の弾発力によりスルーホール７の内周に押し付けられて、抜け止めが図られるとともに、スルーホール７の内周に形成された接点部８と電気的な接続が可能になっている。
【０００４】
ところで、この種の圧入形式の端子１では、上記したように弾性当接部２の弾性力に抗してスルーホール７へ挿入する必要があって、相応の安定した押し込み力が必要となる。そのため従来では、端子１における弾性当接部２の直上位置に、治具当て部４を両側に張り出すようにして設け、治具当て部４に端子圧入治具５を当てて押し込むことにより、弾性当接部２をスルーホール７に挿入するようにしていた。
【０００５】
【特許文献１】
ドイツ特許第１９６０８１６８号
【０００６】
【発明が解決しようとする課題】
上述したように端子を端子圧入治具によって押し込む構成の回路基板用コネクタでは、端子を回路基板に容易にかつ確実に押し込めるようにするために、治具当て部を左右両側にできるだけ大きく張り出すように設けることが好ましい。しかしながら、複数個の端子が並設される場合には、そのように治具当て部を大きく張り出すように設けると、隣接する端子の治具当て部同士が干渉し合って端子の配列ピッチを狭くすることができず、コネクタが大型化してしまうという問題がある。また、端子の配列ピッチを狭くするために、治具当て部の張り出し幅を小さくすると、端子の押し込み操作の際に端子圧入治具が治具当て部から外れ易くなり、端子をスルーホール内に確実に押し込むことが困難になる。
【０００７】
本発明は上記のような事情に基づいて完成されたものであって、端子と回路基板の接続部とを確実に圧入させることが可能で、かつ端子の配列ピッチを狭くすることができる回路基板用コネクタおよび端子圧入治具を提供することを目的とするものである。
【０００８】
【課題を解決するための手段】
上記の目的を達成するための手段として、請求項１の発明は、ハウジングから導出された複数の端子を備え、この端子の先端部には、回路基板の接続部に圧入される圧入部が設けられるとともに、その圧入方向の後方には治具当て部が側方に張り出して設けられ、その治具当て部を端子圧入治具で押圧した状態で前記圧入部を前記接続部に圧入するようにした回路基板用コネクタであって、前記治具当て部のうち前記圧入方向の背面が、前記端子の中心線から遠ざかるほど前記圧入方向の後方に位置する傾斜面状とされているところに特徴を有する。
【０００９】
請求項２の発明は、請求項１に記載の回路基板用コネクタであって、前記端子の治具当て部が、隣接する前記端子の治具当て部と軸方向において互い違いの位置となるように形成されているところに特徴を有する。
【００１０】
また、請求項３の発明は、回路基板の接続部に圧入される圧入部を有する端子を備えるとともに、その圧入方向の後方には治具当て部が側方に張り出して設けられ、その治具当て部のうち前記圧入方向の背面が前記端子の中心線から遠ざかるほど前記圧入方向の後方に位置する傾斜面状とされている回路基板用コネクタの端子圧入治具であって、先端部に、前記治具当て部の傾斜面に沿って当接してその傾斜面を押圧可能な傾斜面状の当接面が形成されているところに特徴を有する。
【００１１】
【発明の作用及び効果】
上記発明によれば、治具当て部のうち接続部への圧入方向の背面が端子の中心線から遠ざかるほど圧入方向の後方に位置する傾斜面状とされているから、その傾斜面に端子圧入治具の先端の当接面を当接させて圧入部と接続部とを圧入させる場合に、端子圧入治具が治具当て部の縁部から外れ難くなる。すなわち、治具当て部の背面が平面状に形成されている従来の構成と比較して、治具当て部の張り出し幅を小さくしても押圧操作を確実に行うことが可能であるから、端子の配列ピッチを狭くして回路基板用コネクタを小型化させることができるという作用効果を奏する。
【００１２】
また、請求項２の発明のように、互いに隣接する端子の治具当て部を軸方向において互い違いの位置に形成する構成とすると、さらに端子の配列ピッチを小さくすることが可能となる。
【００１３】
【発明の実施の形態】
＜第１実施形態＞
本発明の第１実施形態を図１ないし図４によって説明する。
図１において符号１０は基板用コネクタを示し、以下では、図中左方を前方として説明する。
【００１４】
基板用コネクタ１０は、合成樹脂製のコネクタハウジング１１と複数本の端子２０とを備えている。コネクタハウジング１１は、図１の紙面に対して垂直方向に細長い本体部１２を備え、本体部１２の前面には、図示しない相手側のコネクタハウジングが嵌合されるフード部１３が形成されている。本体部１２には、前後に貫通する複数の貫通孔１４が形成されており、上下二段に配列されている。
【００１５】
端子２０は、プレスフィット端子とも称され、導電性に優れた金属線をプレス加工することにより、全体として細長い角棒状に形成されている。この端子２０は、図１に示されるようにＬ型に屈曲され、その一端の取付部２１が貫通孔１４に背面から圧入されてコネクタハウジング１１に取り付けられている。取付部２１は、本体部１２の前面からフード部１３内に突出され、図示しない相手側端子と接触するようになっている。一方、端子２０の曲げ部２２から下向きに突出した部分には基板接続部２５が形成されている。各基板接続部２５は、その先端が同じ高さ位置に揃った状態で前後二列に配列され、回路基板４０のスルーホール４１に挿入されるようになっている（図３参照）。
【００１６】
回路基板４０は、表面に導電路４２が形成されて多数のスルーホール４１が開口されている（図３参照）。スルーホール４１の内周にはメッキなどにより接点部４３（本発明の接続部に相当）が形成され、導電路４２と接続されている。
【００１７】
基板接続部２５は、図２に示すように先端にガイド用の先細り部２６が形成されており、その上方には、スルーホール４１の深さのほぼ２倍の領域にわたって、一対の弾性当接部２７（本願発明の圧入部に相当）が形成されている。両弾性当接部２７は厚肉の帯状をなし、弾性変形可能な薄肉部２８を介して外側へ略円弧状に膨出形成されている。両弾性当接部２７の径方向の最大長さは、スルーホール４１の接点部４３の内径より、所定量大きく設定されている（図３および図４参照）。弾性当接部２７は、薄肉部２８とともに径方向に押し縮められることにより、スルーホール４１に挿入され、接点部４３と電気的に接続されるようになっている。
【００１８】
弾性当接部２７の直上位置（圧入方向の後方）には、治具当て部２９が左右方向に突出するように形成されている。治具当て部２９は、略方形の平板状をなし、上縁（圧入方向のうち背面）が後述する端子圧入治具５０の当て縁２９Ａとされているが、この当て縁２９Ａは、端子２０の軸方向の中心線から遠ざかるほど圧入方向の後方に位置する傾斜面状とされている。また、治具当て部２９の下縁２９Ｂの角には丸みが付けられている。さらに、治具当て部２９の直上には、端子２０の本体部よりもテーパ部を介して若干幅広とされたガイド部２３が形成されている。
【００１９】
一方、コネクタハウジング１１の背面の両端部には、コネクタハウジング１１を回路基板４０に固定するための一対の固定アーム１５が突設されている（図１参照）。固定アーム１５は、上下に延びる半円柱状とされ、ビスを挿通するための図示しない貫通孔が上下方向に穿設されている。
【００２０】
次に、基板用コネクタ１０を回路基板４０に取り付ける方法の一例について説明する。
基板用コネクタ１０は、端子圧入治具５０を用いて回路基板４０に取り付けられるようになっている（図３参照）。端子圧入治具５０は平面なくし状をなし、端子２０に対応するようにガイド部２３の間に基板用コネクタ１０の上方から挿入可能に形成されている。また、治具当て部２９の当て縁２９Ａに当接する端子圧入治具５０の先端部分は、当て縁２９Ａと同角度の傾斜面状の当接面５１とされており、これにより当て縁２９Ａとぴったり当接するようになっている。
【００２１】
基板用コネクタ１０は、図示しないセット装置に対して、基板接続部２５が下を向いた姿勢で上下に移動可能に保持されるようになっている。また、セット装置には回路基板４０が基板用コネクタ１０の下方に水平姿勢で固定され、端子２０の各基板接続部２５が、回路基板４０の対応するスルーホール４１の真上に位置するようになっている。
【００２２】
そして、セット装置に保持された基板用コネクタ１０の上方から端子圧入治具５０を水平にして端子２０間に挿入すると（図３の二点鎖線参照）、端子圧入治具５０はガイド部２３のテーパにより案内されてガイド部２３の間に挿入される。そして、端子圧入治具５０の当接面５１が治具当て部２９の当て縁２９Ａとぴったりと当接する。さらに、端子圧入治具５０によって治具当て部２９を押し下げると、基板接続部２５の弾性当接部２７がスルーホール４１に圧入される。このように、弾性当接部２７の直上に設けた治具当て部２９により、弾性当接部２７をスルーホール４１に圧入するから、端子２０を曲げることなく確実に回路基板４０に取り付けることができる。
【００２３】
そして、弾性当接部２７がスルーホール４１に対して所定量進入すると、弾性当接部２７は、その径方向の弾発力によりスルーホール４１内に係止されるとともに、接点部４３と電気的に接続される。
【００２４】
このようにして、弾性当接部２７をスルーホール４１へ挿入した後、端子圧入治具５０を基板用コネクタ１０及び回路基板４０の上方へ引き抜く（図４参照）。そして、固定アーム１５の貫通孔に図示しないビスを挿通して、回路基板４０に固定することにより、基板用コネクタ１０の回路基板４０への取付が完了する。
【００２５】
以上のように本実施形態によれば、治具当て部２９の当て縁２９Ａが端子２０の中心線から遠ざかるほど圧入方向の後方に位置する傾斜面とされており、端子圧入治具５０の先端（当接面５１）がこの傾斜面にぴったりと当接するように形成されているから、端子圧入治具の押し込み操作の際に端子圧入治具が治具当て部から外れにくくなる。よって、従来の構成と比較して、治具当て部の張り出し幅を狭くすることができ、端子の配列ピッチを狭くして回路基板を小型化させることができるという作用効果を奏する。
【００２６】
＜第２実施形態＞
次に、本発明の第２実施形態を図５ないし図７によって説明する。上記第１実施形態と重複する部分は省略する。
本実施形態の端子３０は、上記第１実施形態の端子２０と概ね同様であるが、治具当て部３９の軸方向の長さが上記第１実施形態の治具当て部２９より短く形成されているとともに、互いに隣接する端子３０の治具当て部３９の長さ方向の位置が互い違いとなるように距離Ｌだけ離れて形成されている点が上記第１実施形態のものとは異なる。
【００２７】
一方、端子圧入治具６０は平面なくし状をなし、端子３０に対応するようにガイド部３３の間に基板用コネクタ１０の上方から挿入可能に形成されているが、端子圧入治具６０の先端には、上述した距離Ｌと等しい長さの段差６１が設けられているとともに、この段差によって分割された端子圧入治具の先端の当接面６２，６３は、それぞれ治具当て部３９の当て縁３９Ａと同角度の傾斜面状とされている。これにより、端子圧入治具６０の当接面６２，６３が互いに隣接する端子３０のそれぞれの治具当て部３９の当て縁３９Ａにぴったり当接可能とされている。
【００２８】
本実施形態の基板用コネクタ１０を回路基板４０に取り付ける際には、上記第１実施形態と同様に、セット装置に保持された基板用コネクタ１０の上方から端子圧入治具６０を水平にして端子３０間に挿入する（図６の二点鎖線参照）。すると、端子圧入治具６０はガイド部３３のテーパにより案内されてガイド部３３の間に挿入され、端子圧入治具６０の先端面６２，６３がそれぞれ隣接する端子３０の治具当て部３９の当て縁３９Ａとぴったりと当接する。そこで、端子圧入治具６０を押圧することによって治具当て部３９を押し下げると、基板接続部３５の弾性当接部３７がスルーホール４１に圧入され、弾性当接部２７がスルーホール４１内に係止されるとともに、接点部４３と電気的に接続される。
【００２９】
本実施形態のように、隣接する端子の治具当て部の軸方向の位置を互い違いにずらす構成とすることにより、上記第１実施形態よりさらに配列ピッチを狭くして回路基板を小型化させることが可能となる。
【００３０】
＜他の実施形態＞
本発明は上記記述及び図面によって説明した実施形態に限定されるものではなく、例えば次のような実施形態も本発明の技術的範囲に含まれ、さらに、下記以外にも要旨を逸脱しない範囲内で種々変更して実施することができる。
【００３１】
（１）上記実施形態では、回路基板４０に沿って取り付けられるＬ型の基板用コネクタ１０を例示したが、本発明は回路基板４０に立設されるストレート型のコネクタに適用することが可能である。
【００３２】
（２）上記実施形態では、基板接続部２５として一対の弾性当接部２７が薄肉部２８を介して略円弧状に形成されている例について示したが、これに限られず、例えば、一対の弾性当接部２７の間に薄肉部２８を設けない形状であったり、また、Ｎ字型の断面を備え、その両縁部が径方向の内外に撓む形状としてもよい。
【図面の簡単な説明】
【図１】本発明の第１実施形態に係る基板用コネクタの断面図
【図２】端子の平面図
【図３】スルーホールに弾性当接部を挿入する前の状態を示す部分断面図
【図４】取付完了状態を示す部分断面図
【図５】本発明の第２実施形態に係る端子の平面図
【図６】スルーホールに弾性当接部を挿入する前の状態を示す部分断面図
【図７】取付完了状態を示す部分断面図
【図８】従来の端子を基板に取り付けた状態を示す部分断面図
【符号の説明】
１０…回路基板用コネクタ
１１…コネクタハウジング（ハウジング）
２０，３０…端子
２７，３７…弾性当接部（圧入部）
２９，３９…治具当て部
２９Ａ，３９Ａ…当て縁（圧入方向の背面）
４０…回路基板
４１…スルーホール
４３…接点部（接続部）
５０，６０…端子圧入治具
５１，６１，６２…当接面
【図１】
2004178992.tif 000003
【図２】
2004178992.tif 000004
【図３】
2004178992.tif 000005
【図４】
2004178992.tif 000006
【図５】
2004178992.tif 000007
【図６】
2004178992.tif 000008
【図７】
2004178992.tif 000009
【図８】
2004178992.tif 000010